(57)【要約】  本発明の空気処理装置は、駆動アセンブリ（１）、調湿ロータアセンブリ（２）、固定軸（３１ａ、３２ａ）、支持体（３）および弾性部材（Ｅ、Ｅ’）を備える。駆動アセンブリ（１）は駆動部材を有する。調湿ロータアセンブリ（２）は、駆動部材によって回転する従動部材を有する。固定軸（３１ａ、３２ａ）は、従動部材を、遊びをもって支持する。支持体（３）は、駆動アセンブリ（１）、調湿ロータアセンブリ（２）、固定軸（３１ａ、３２ａ）を支持する。弾性部材（Ｅ、Ｅ’）は、支持体（３）と駆動アセンブリ（１）との間に設けられている。弾性部材（Ｅ、Ｅ’）は、従動部材の移動により生じる力を受けた場合に変形し、変形することによって駆動部材に付勢し、駆動部材を従動部材に係合したまま保持する。当該構成により、空気処理装置の故障率を低減することができる。
2020085338.tif 000002
【特許請求の範囲】
【請求項１】
駆動部材を有する駆動アセンブリ（１）と、
前記駆動部材によって回転する従動部材を有する調湿ロータアセンブリ（２）と、
前記従動部材を、遊びをもって支持する固定軸（３１ａ，３２ａ）と、
前記駆動アセンブリ（１）と、前記調湿ロータアセンブリ（２）と、前記固定軸（３１ａ、３２ａ）を支持する支持体（３）と、
前記支持体（３）と前記駆動アセンブリ（１）との間に設けられた弾性部材（Ｅ、Ｅ’）と、
を備え、
前記弾性部材（Ｅ、Ｅ’）は、前記従動部材の移動により生じる力を受けた場合に変形し、変形することによって前記駆動部材に付勢し、前記駆動部材を前記従動部材に係合したまま保持する、
空気処理装置（１００）。
【請求項２】
前記弾性部材（Ｅ、Ｅ’）の変形可能量の最大値は、前記従動部材と前記固定軸との間の遊びの値以上である、
請求項１に記載の空気処理装置（１００）。
【請求項３】
前記駆動部材は、第１回転軸（Ｌ１）の周りに回転可能な駆動ギヤ（１１）であり、
前記従動部材は、第２回転軸（Ｌ２）の周りに回転可能な従動ギヤ（２１）であり、
前記従動ギヤ（２１）は、前記駆動ギヤ（１１）と噛み合って回転駆動され、
前記駆動ギヤ（１１）及び前記従動ギヤ（２１）は、前記第１回転軸（Ｌ１）と前記第２回転軸（Ｌ２）とが互いに平行になるように前記支持体（３）に取り付けられる、
請求項１又は請求項２に記載の空気処理装置（１００）。
【請求項４】
前記調湿ロータアセンブリ（２）は、
前記従動部材と同軸に設けられ、軸心部分には軸孔（２ｈ）が形成された調湿ロータ（２２）と、
前記軸孔（２ｈ）に遊びをもって嵌合するスリーブ（２３）と、
をさらに有し、
前記スリーブ（２３）が嵌められた前記軸孔（２ｈ）と、前記固定軸（３１ａ、３２ａ）とが係合することによって、前記調湿ロータアセンブリ（２）が前記支持体（３）に軸支される、
請求項１から請求項３のいずれか１項に記載の空気処理装置（１００）。
【請求項５】
前記支持体（３）に支持されるファンカバー（３３）をさらに備え、
前記駆動アセンブリ（１）は前記ファンカバー（３３）に取り付けられる、
請求項１から請求項４のいずれかに記載の空気処理装置（１００）。
【請求項６】
前記支持体（３）に設けられる第１位置制限部（３Ｓ、３Ｓ’）と、
前記駆動アセンブリ（１）に設けられる第２位置制限部（１Ｓ、１Ｓ’）と、
をさらに備え、
前記第１位置制限部（３Ｓ、３Ｓ’）と前記第２位置制限部（１Ｓ、１Ｓ’）とは、前記弾性部材（Ｅ、Ｅ’）により弾性的に係合されている、
請求項１から請求項５のいずれか１項に記載の空気処理装置（１００）。
【請求項７】
前記第１位置制限部（３Ｓ）及び前記第２位置制限部（１Ｓ）の一方は柱状部であり、他方は中空挟持部であり、
前記中空挟持部は前記弾性部材（Ｅ）を挟みながら前記柱状部に外嵌めされる、
請求項６に記載の空気処理装置（１００）。
【請求項８】
前記柱状部の外径をＤ１とし、前記中空挟持部の内径をＤ２とした時に、４ｍｍ≦Ｄ２−Ｄ１≦１２ｍｍである、
請求項７に記載の空気処理装置（１００）。
【請求項９】
前記第１位置制限部（３Ｓ’）は第１突起（３Ｓ’１）を有し、
前記第２位置制限部（１Ｓ’）は第２突起（１Ｓ’１）を有し、
前記第１突起（３Ｓ’１）と前記第２突起（１Ｓ’１）とは、前記弾性部材（Ｅ’）が外嵌めされるように相対している、
請求項６から請求項８のいずれか１項に記載の空気処理装置（１００）。
【請求項１０】
前記弾性部材（Ｅ’）は、前記駆動部材と前記従動部材とが係合して回転している状態において、収縮又は伸長可能であり、
前記弾性部材（Ｅ’）の圧縮状態における最小長さは、前記第１突起（３Ｓ’１）の長さと前記第２突起（１Ｓ’１）の長さとの和以上である、
請求項９に記載の空気処理装置（１００）。
【請求項１１】
前記第１位置制限部（３Ｓ’）及び前記第２位置制限部（１Ｓ’）の一方には、位置制限突起（３Ｓ’２）が設けられており、
前記第１位置制限部（３Ｓ’）及び前記第２位置制限部（１Ｓ’）の他方には、位置制限溝（１Ｓ’２）が設けられており、
前記位置制限溝（１Ｓ’２）は、前記第１突起（３Ｓ’１）と前記第２突起（１Ｓ’１）の相対方向（Ｆ）に平行な方向に沿って形成されており、前記位置制限突起（３Ｓ’２）は前記位置制限溝（１Ｓ’２）に嵌め入れられる、
請求項９又は請求項１０に記載の空気処理装置（１００）。
【請求項１２】
吸込口（ＢＴａ）、第１吹出口（ＢＴ１）、及び第２吹出口（ＢＴ２）を有する本体部（ＢＴ）と、
前記本体部（ＢＴ）に設けられ、ファンロータ（４ａ）、吸気口（４１）、第１送気口（４２）、及び第２送気口（４３）を有するファンアセンブリ（４）と、
前記本体部（ＢＴ）に設けられ、吸湿エリア（２２ａ）及び放湿エリア（２２ｂ）を有する前記調湿ロータアセンブリ（２）と、
前記本体部（ＢＴ）に設けられ、加熱部を有する加熱アセンブリ（ＨＴ）と、
をさらに備え、
前記調湿ロータアセンブリ（２）の前記従動部材が回転するときの回転軸（Ｌ２）の方向は、前記ファンアセンブリ（４）の前記ファンロータ（４ａ）が回転するときの回転軸（Ｌ４）の方向と一致し、
前記吸湿エリア（２２ａ）と前記放湿エリア（２２ｂ）は、前記調湿ロータアセンブリ（２）の周方向において互いに隣接し、
前記ファンアセンブリ（４）の動作時、前記吸込口（ＢＴａ）から前記本体部（ＢＴ）内に吸い込まれた空気流が、前記吸湿エリア（２２ａ）を通過して前記ファンアセンブリ（４）の前記吸気口（４１）に入った後に、前記ファンアセンブリ（４）の前記第１送気口（４２）から吹き出され前記放湿エリア（２２ｂ）を通過して前記第１吹出口（ＢＴ１）から放出される経路と、前記ファンアセンブリ（４）の前記第２送気口（４３）から前記第２吹出口（ＢＴ２）に吹き出されて放出される経路と、の２つの経路に分かれ、
前記加熱部は、前記放湿エリア（２２ｂ）の少なくとも一部分を加熱する、
請求項１から請求項１１のいずれか１項に記載の空気処理装置（１００）。
【発明の詳細な説明】
【技術分野】
【０００１】
本発明は、空気処理装置に関する。
【背景技術】
【０００２】
生活水準の向上に伴い、オフィス環境や居住環境に対する人々の要望もますます高まっている。例えば、冷房又は暖房用エアコン等の環境温度を調節する空気処理装置に対するニーズが拡大しているだけでなく、除湿機又は乾燥機等の環境湿度を調節する空気処理装置に対するニーズも同時に日増しに高まっている。【０００３】
既存の空気処理装置には、例えばゼオライトを材料として用いて除湿ロータを製造し、この除湿ロータの吸湿特性を利用することによって、圧縮機を使用せずに空気の湿度を調節する機能を実現できるものがある（例えば、特許文献１：中国実用新案第２０２０９６８７１号を参照）。【０００４】
具体的には、上述の既存技術の空気処理装置では、常温で湿気を吸収でき、高温で湿気を放出できるという除湿ロータの特性を利用して、除湿ロータの吸湿後のエリアを加熱して再生させる電熱装置を設けることによって、長時間の除湿機能を容易に実現することができる。市場にあるものでは、一般に伝動部材（例えば駆動ギヤ及び従動ギヤから構成されるギヤ群）によって、除湿ロータとしてのゼオライト部材を間接的に駆動している。このようにすることで、除湿ロータとしてのゼオライト部材に必要な遅めの回転速度を満たすことができるのみならず、モータを偏らせて置くことにより、モータが熱源又は冷却源の干渉を受けることを防止できる。
【発明の概要】
【発明が解決しようとする課題】
【０００５】
しかし、上述の既存技術の空気処理装置では、伝動部材としてのギヤ群は、通常、熱膨張係数が比較的高い樹脂等の材料で成型されているため、ギヤ群の駆動ギヤと従動ギヤとの噛み合いが悪いという問題がある。その上、空気処理装置内の温度変化が絶えない条件下では、駆動ギヤと従動ギヤとの噛み合いが、熱膨張・熱収縮により、きつくなりすぎたり（駆動ギヤと従動ギヤとが近くに寄り合いすぎる）又は緩くなりすぎたり（駆動ギヤと従動ギヤの間があきすぎ、ひいては完全に離れる）する。これにより、動力伝達が不安定になったり、不連続になったりする等の不具合（例えば、この場合、駆動輪及び／又は従動輪の回転軸方向に沿って見た時、駆動輪及び／又は従動輪は、理想的な円形ではない）が起こり、さらにはゼオライト部材を回転駆動できなくなる。また、調湿ロータ自身も熱膨張・熱収縮するので、調湿ロータと固定軸とが遊びを持たずに係合されている場合、調湿ロータが固定軸に引っかかって回転できず、最終的には空気処理装置の故障を招く。【０００６】
よって、上述の既存技術の空気処理装置の構成には改良が必要である。【０００７】
本発明は、上述の技術的課題に鑑みてなされたものであり、調湿ロータが固定軸に引っかかることを防ぎ、伝動アセンブリとしての駆動部材と従動部材との係合がきつくなりすぎたり又は緩くなりすぎたりすることを防止することによって、空気処理装置の故障率を低減できる、空気処理装置を提供することを目的とする。
【課題を解決するための手段】
【０００８】
上述の技術的課題を解決するため、本発明は、以下の空気処理装置を提供する。空気処理装置は、駆動アセンブリ、調湿ロータアセンブリ、及び支持体を含む。駆動アセンブリの駆動部材は、調湿ロータアセンブリの従動部材を回転させる。支持体は固定軸を有し、従動部材は、遊びを有するように固定軸に支持される。支持体と駆動アセンブリとの間には、弾性部材が設けられている。弾性部材は、従動部材の移動により生じる力を受けた場合に変形することができ、変形することによって、駆動部材に付勢し、駆動部材を従動部材に係合したまま保持する。【０００９】
上述の構成によると、従動部材は、遊びを有するように固定軸に支持される。これにより、従動部材と固定軸とが遊びを持たずに係合している場合に比べて、従動部材に固定された調湿ロータが固定軸に引っ掛かって回転できなくなることを防止できる。また、弾性部材が、従動部材の移動により生じる力を受けた場合に変形することができ、変形することによって、駆動部材に付勢し、駆動部材を従動部材に係合したまま保持する。これにより、伝動アセンブリとしての駆動部材と従動部材との係合がきつくなりすぎたり又は緩くなりすぎたりすることを防止でき、その結果、空気処理装置の故障率を低減できる。【００１０】
好ましくは、弾性部材の変形可能量の最大値は、従動部材と固定軸との間の遊びの値以上である。【００１１】
これにより、従動部材の遊びにおける運動を、確実に弾性部材の弾性の範囲内でカバーすることができるので、駆動部材と従動部材との係合がきつくなりすぎることをさらに確実に防止できる。【００１２】
好ましくは、駆動部材は、駆動ギヤであり、従動部材は、従動ギヤであって、従動ギヤは、駆動ギヤと噛み合って回転駆動される。また、駆動ギヤ及び従動ギヤは、回転軸が互いに平行になるように支持体に取り付けられる。【００１３】
ここで、上述の「互いに平行」とは、厳密な平行関係に限定されず、「互いに略平行」の場合も含む。つまり、実際の運用においては、例えば、回転中の揺動や部材自身の製造誤差が生じるので、駆動ギヤの回転軸と従動ギヤの回転軸とは完全に平行でなくてもよく、略平行であればよい。【００１４】
上述の構成によると、駆動部材としての駆動ギヤと従動部材としての従動ギヤとが互いに噛み合い、さらに弾性部材の作用により、噛み合った状態を始終維持する。これにより、伝動アセンブリとしての駆動ギヤと従動ギヤとの噛み合いがきつくなりすぎたり又は緩くなりすぎたりすることを防止でき、その結果、空気処理装置の故障率を低減することができる。【００１５】
好ましくは、調湿ロータアセンブリは、調湿ロータ及びスリーブをさらに有する。調湿ロータは、従動部材と同軸に設けられ、調湿ロータ及び従動部材の軸心には軸孔が形成されている。スリーブは、遊びを有するように軸孔に嵌合される。スリーブが嵌められた軸孔と、支持体に設けられた固定軸とを係合することによって、調湿ロータアセンブリが支持体に軸支される。【００１６】
上述の構成によると、スリーブは、調湿ロータ及び従動部材の軸孔に遊びを持って嵌合する。これにより、調湿ロータの熱膨張・熱収縮により、調湿ロータとスリーブとの係合がきつくなりすぎて、調湿ロータが回転できなくなることを防止でき、空気処理装置の故障率の更なる低減に寄与する。【００１７】
好ましくは、支持体はファンカバーを含み、駆動アセンブリはファンカバーに取り付けられる。【００１８】
これにより、駆動アセンブリをファンカバーに取り付けることで、駆動アセンブリ用の放熱部材及び支持部材を余分に設ける必要がなくなり、もとよりあったファンアセンブリをそのまま利用して駆動アセンブリに対し放熱を行うことができるので、空気処理装置の部品数の更なる削減に寄与する。その結果、装置の小型化が実現されるとともに製造コストを下げることができる。【００１９】
好ましくは、支持体には、第１位置制限部が設けられており、駆動アセンブリには、第２位置制限部が設けられている。また、第１位置制限部と第２位置制限部とは、弾性部材により弾性的に係合されている。【００２０】
このことから、２つの位置制限部が弾性部材によって弾性的に係合されることにより、簡単な部材で駆動部材と従動部材との係合がきつくなりすぎたり又は緩くなりすぎたりすることを防止できる。【００２１】
好ましくは、第１位置制限部及び第２位置制限部の一方は柱状部であり、他方は中空挟持部であって、中空挟持部は弾性部材を挟みながら柱状部に外嵌めされる。【００２２】
このことから、柱状部及び中空挟持部の二者の間に弾性部材を挟むという簡単な構成により、駆動部材と従動部材との良好な係合を実現することができる。【００２３】
好ましくは、柱状部の外径をＤ１とし、中空挟持部の内径をＤ２とした時に、４ｍｍ≦Ｄ２−Ｄ１≦１２ｍｍである。【００２４】
このことから、柱状部と中空挟持部との寸法関係を上述のように設定することにより、駆動部材と従動部材とを適切な具合で係合することができる。【００２５】
好ましくは、第１位置制限部には、第１突起が設けられており、第２位置制限部には、第２突起が設けられていて、第１突起と第２突起とは、弾性部材が外嵌めされるように、相対している。【００２６】
これにより、互いに相対する２つの突起を設けることで、弾性部材を確実に外嵌めすることができ、弾性部材の位置を制限しやすくなる。その結果、弾性部材と２つの突起が共同して、確実に駆動部材の移動を弾性により制限する働きをする。【００２７】
好ましくは、弾性部材は、駆動部材と従動部材とが係合して回転している状態において、収縮又は伸長可能であり、弾性部材の圧縮状態における最小長さは、第１突起の長さと第２突起の長さとの和以上である。【００２８】
ここで、「弾性部材は、駆動部材と従動部材とが係合して（例えば、２つのギヤが噛み合って）回転している状態において、収縮又は伸長可能である」とは、駆動部材と従動部材とが係合して回転している時に、弾性部材が、第１位置制限部及び第２位置制限部に対し、始終弾性力を付勢している状態にあることを指す。これにより、弾性部材の自然長状態と収縮／伸長状態とが切り替わる場合に比べ、弾性部材が第１突起と第２突起との間から脱落することを防止できる。また、駆動アセンブリが斜めに設けられた場合、従動部材が駆動部材から離れる方向に移動する時に、駆動アセンブリの自重により弾性部材が伸長することで、駆動部材と従動部材とを噛み合わせることができる。その結果、駆動部材と従動部材との係合がきつくなりすぎたり又は緩くなりすぎたりすることをさらに確実に防止できる。【００２９】
また、上述の構成によると、弾性部材の圧縮状態における最小長さが、２つの突起の長さの和よりも小さい場合に比べ、弾性部材が極限まで圧縮された状態において、第１突起と第２突起とが当接することを防止できる。その結果、駆動部材と従動部材との係合がきつくなりすぎることをさらに確実に防止できる。【００３０】
好ましくは、第１位置制限部及び第２位置制限部の一方には、位置制限突起が設けられており、第１位置制限部及び前記第２位置制限部の他方には、位置制限溝が設けられている。また、位置制限溝は、第１突起と第２突起の相対方向（Ｆ）に平行な方向に形成されており、位置制限突起は、位置制限溝に嵌め入れられる。【００３１】
このことから、互いに嵌まり合う位置制限部突起及び位置制限溝を相対方向に平行な方向に沿って設けることにより、２つの位置制限部を確実に相対方向Ｆに平行な方向に沿って往復移動させることができ、駆動アセンブリが左右に揺れてバネがねじ曲がることを防止できる。その結果、駆動部材と従動部材との係合がきつくなりすぎたり又は緩くなりすぎたりすることを確実に防止できる。【００３２】
好ましくは、空気処理装置は、本体部を有する。本体部は、吸込口と、第１吹出口と、第２吹出口とを有する。また、本体部には、ファンアセンブリと、調湿ロータアセンブリと、加熱アセンブリとが設けられている。ファンアセンブリは、ファンロータと、吸気口と、第１送気口と、第２送気口とを有する。調湿ロータアセンブリの軸方向は、ファンアセンブリのファンロータの軸方向と一致する。また、調湿ロータアセンブリは、調湿ロータアセンブリの周方向において互いに隣接する、吸湿エリア及び放湿エリアを有する。ファンアセンブリの動作時、吸込口から本体部内に吸い込まれた空気流は、吸湿エリアを通過してファンアセンブリの吸気口に入った後、２つの経路に分かれる。１つは、ファンアセンブリの第１送気口から吹き出され、放湿エリアを通過して、第１吹出口から放出される経路であり、もう１つは、ファンアセンブリの第２送気口から第２吹出口に吹き出されて放出される経路である。加熱アセンブリは、加熱部を有し、この加熱部は、放湿エリアの少なくとも一部を加熱する。【００３３】
上述の構成によると、空気処理装置内の調湿ロータアセンブリの従動部材と固定軸とが遊びを持って係合しているため、従動部材に固定された調湿ロータが固定軸に引っかかって回転できなくなることを防止できる。さらには、加熱アセンブリが調湿ロータアセンブリの調湿ロータの一部のエリア（放湿エリア）を加熱し続けることを防ぎ、火災発生のリスクを減らすことができる。よって、装置の安全性、信頼性、安定性を高めることができる。
【発明の効果】
【００３４】
本発明の空気処理装置によると、従動部材は遊びを有するように固定軸に支持される。これにより、従動部材に固定された調湿ロータが固定軸に引っ掛かって回転できなくなることを防止できる。また、弾性部材が、従動部材の移動により生じる力を受けた場合に変形することができ、変形することによって、駆動部材に付勢し、駆動部材を従動部材に係合したまま保持する。これにより、伝動アセンブリとしての駆動部材と従動部材との係合がきつくなりすぎたり又は緩くなりすぎたりすることを防止でき、その結果、空気処理装置の故障率を低減できる。【００３５】
本明細書に記載する空気処理装置の特別な特徴及び利点は、以下の詳細な説明において述べられる。これらの説明に、以下の詳細な説明、請求の範囲、及び図面が含まれることは、以下の文によって当業者にとって明らかであろうし、或いは、本願に記載された実施形態を実践することによって、当業者に認識されるであろう。【００３６】
前述の一般的な説明及び以下の詳細な説明は、各実施形態を説明するものであり、請求の範囲により保護される主題の性質及び特徴を理解するための概略又は大枠を提供することを意図するものであることを理解されたい。図面は、各実施形態のさらなる理解のため、また、明細書と合わせて本明細書の一部を構成するために含まれる。図面は、本願に記載する各種実施形態を示しており、請求の範囲により保護される主題の原理と働きを解釈するために説明とともに用いられる。
【図面の簡単な説明】
【００３７】
以上の目的に鑑みて、本発明の技術的特徴を、請求の範囲に明確に記載する。その利点は、図面を参照した以下の詳細な説明から明らかである。図面は、本発明の好ましい実施形態を例示的に示すものであって、本発明の思想の範囲を限定するものではない。
【図１】本発明に係る空気処理装置の主要部分を示す概略斜視図である。
【図２】本発明の第１実施形態に係る空気処理装置の駆動アセンブリ、調湿ロータアセンブリ、及び支持体を示す分解斜視図である。
【図３】本発明の第１実施形態に係る空気処理装置の駆動アセンブリを支持体に取り付けた状態を示す斜視図である。
【図４】本発明の第２実施形態に係る空気処理装置の駆動アセンブリを支持体に取り付けた状態を示す斜視図である。
【図５Ａ】本発明の第２実施形態に係る空気処理装置の支持体の第１位置制限部を示す概略斜視図である。
【図５Ｂ】本発明の第２実施形態に係る空気処理装置の駆動アセンブリの第２位置制限部を示す概略斜視図である。
【図６】本発明に係る空気処理装置を示す概略外観斜視図であり、蓋部を本体部に対して開いている状態を示す。
【図７】本発明に係る空気処理装置を示す概略断面斜視図である。
【図８】本発明に係る空気処理装置のファンアセンブリの吸気口及び第２送気口を示す概略斜視図である。
【発明を実施するための形態】
【００３８】
これから本発明の各実施形態を詳しく参照する。これらの実施形態の実例は、図面及び以下の説明に示されている。以下、本発明を例示的な実施形態と結び付けて説明するが、本明細書は、本発明がこれらの例示的な実施形態に限定されることを主旨としないことを理解されたい。むしろ、本発明は、これらの例示的な実施形態を含むのみならず、添付の請求の範囲によって限定される本発明の精神及び範囲内に含まれる各種の選択的形態、修正された形態、同等な形態、及びその他の実施形態をも含む。添付の請求の範囲の解釈及び正確な定義に資するよう、用語「上」、「下」、「内」、及び「外」は、図中に示される例示的な実施形態の特徴の位置を参照し、これを以て、これらの特徴について説明を行う。
【００３９】
以下、図１〜図８を参照しながら、本発明の空気処理装置の具体的な構成について説明する。図１は、本発明に係る空気処理装置の主要部分を示す概略斜視図である。図２は、本発明の第１実施形態に係る空気処理装置の駆動アセンブリ、調湿ロータアセンブリ、及び支持体を示す分解斜視図である。図３は、本発明の第１実施形態に係る空気処理装置の駆動アセンブリを支持体に取り付けた状態を示す斜視図である。図４は、本発明の第２実施形態に係る空気処理装置の駆動アセンブリを支持体に取り付けた状態を示す斜視図である。図５Ａは、本発明の第２実施形態に係る空気処理装置の支持体の第１位置制限部を示す概略斜視図である。図５Ｂは、本発明の第２実施形態に係る空気処理装置の駆動アセンブリの第２位置制限部を示す概略斜視図である。図６は、本発明に係る空気処理装置を示す概略外観斜視図であり、蓋部を本体部に対して開いている状態を示す。図７は、本発明に係る空気処理装置を示す概略断面斜視図である。図８は、本発明に係る空気処理装置のファンアセンブリの吸気口及び第２送気口を示す概略斜視図である。
【００４０】
＜第１実施形態＞
まず、図１〜図３を参照しながら、本発明の空気処理装置について詳細に説明する。図１に示すように、本発明の空気処理装置１００は、駆動アセンブリ１と、調湿ロータアセンブリ２と、支持体３とを含む。駆動アセンブリ１の駆動部材は、調湿ロータアセンブリ２の従動部材を回転させる。支持体３は、固定軸３１ａ、３２ａを有しており、従動部材は、遊びを有するように固定軸３１ａ、３２ａに支持される。支持体３と駆動アセンブリ１との間には、弾性部材Ｅ、Ｅ’が設けられている（図２及び図４参照）。弾性部材Ｅ、Ｅ’は、従動部材の移動により生じる力を受けた場合に変形することができ、変形することによって、駆動部材に付勢し、駆動部材を従動部材に係合したまま保持する。
【００４１】
本発明の空気処理装置１００によると、従動部材は、遊びを有するように固定軸３１ａ、３２ａに支持される。これにより、従動部材と固定軸とが遊びを持たずに係合している場合と比べて、従動部材に固定された調湿ロータ２２が熱膨張・熱収縮することにより固定軸３１ａ、３２ａに引っかかって回転できなくなることを防止できる。また、弾性部材Ｅ、Ｅ’は、従動部材の移動により生じる力を受けた場合に変形することができ、変形することによって、駆動部材に付勢し、駆動部材を従動部材に係合したまま保持する。これにより、伝動アセンブリとしての駆動部材と従動部材との係合がきつくなりすぎたり又は緩くなりすぎたりすることを防止でき、その結果、空気処理装置１００の故障率を低減できる。
【００４２】
ここで特筆するが、上述の駆動部材及び上述の従動部材は、チェーン伝動アセンブリの駆動チェーン及び従動チェーン、ベルト伝動アセンブリの駆動ベルト及び従動ベルト、又はギヤ伝動アセンブリの駆動ギヤ及び従動ギヤであってもよい。以下に説明する第１実施形態及び第２実施形態では、主に、ギヤ伝動アセンブリを例にして説明する。
【００４３】
具体的には、図１及び図２に示すように、本実施形態では、上述の駆動部材は駆動ギヤ１１であり、上述の従動部材は従動ギヤ２１である。従動ギヤ２１は、駆動ギヤ１１と噛み合うことで回転駆動される。駆動ギヤ１１及び従動ギヤ２１は、それぞれの回転軸Ｌ１、Ｌ２が互いに平行になるように、支持体３に取り付けられている。
【００４４】
ここで特筆するが、上述の「互いに平行」とは、厳密な平行関係に限定されず、「互いに略平行」の場合も含む。つまり、実際の運用においては、例えば、回転中の揺動や部材自身の製造誤差が生じるので、駆動ギヤ１１の回転軸Ｌ１と従動ギヤ２１の回転軸Ｌ２とは完全に平行でなくてもよく、略平行であればよい。
【００４５】
本実施形態の空気処理装置１００によると、駆動部材としての駆動ギヤ１１と従動部材としての従動ギヤ２１とは、それぞれの回転軸Ｌ１、Ｌ２が互いに平行した形で、例えば並列した形で噛み合い、且つ、弾性部材Ｅ（図３参照）の作用により、互いに噛み合った状態を始終維持する。これにより、伝動アセンブリとしての駆動ギヤ１１と従動ギヤ２１との噛み合いがきつくなりすぎたり又は緩くなりすぎたりすることを防止でき、その結果、空気処理装置１００の故障率を低減できる。
【００４６】
以下、主に図６及び図８を参照して、本発明の空気処理装置１００の全体構成について簡単に説明する。
【００４７】
図６に示すように、本発明の空気処理装置１００は、蓋部ＧＴ及び本体部ＢＴを主に含む。以下では、主に空気処理装置１００の本体部ＢＴについて詳細に説明する。図６〜図８に示すように、空気処理装置１００は、本体部ＢＴを有する。本体部ＢＴは、吸込口ＢＴａと、第１吹出口ＢＴ１と、第２吹出口ＢＴ２とを有する。本体部ＢＴには、ファンアセンブリ４と、調湿ロータアセンブリ２と、加熱アセンブリＨＴとが設けられている。ファンアセンブリ４は、ファンロータ４ａと、吸気口４１と、第１送気口４２と、第２送気口４３とを有する。調湿ロータアセンブリ２の軸方向と、ファンアセンブリ４のファンロータ４ａの軸方向はほぼ一致する（すなわち、ファンロータ４ａの回転軸Ｌ４と調湿ロータアセンブリ２の調湿ロータ２２（従動輪）の回転軸Ｌ２とは略平行である）。さらに、調湿ロータアセンブリ２（具体的には、調湿ロータ２２）は、調湿ロータアセンブリ（具体的には、調湿ロータ２２）の周方向において互いに隣接する、吸湿エリア２２ａ及び放湿エリア２２ｂを有する。ファンアセンブリ４の動作時、吸込口ＢＴａから本体部ＢＴ内に吸い込まれた空気流は、吸湿エリア２２ａを通過してファンアセンブリ４の吸気口４１に入った後、２つの経路に分かれる。１つは、ファンアセンブリ４の第１送気口４２から吹き出され、放湿エリア２２ｂを通過して、第１吹出口ＢＴ１から放出される経路であり、もう１つは、ファンアセンブリ４の第２送気口４３（図８参照）から第２吹出口ＢＴ２に吹き出されて放出される経路である。加熱アセンブリＨＴは加熱部（図示せず）を有し、この加熱部は、放湿エリア２２ｂの少なくとも一部を加熱する。
【００４８】
本発明の空気処理装置１００によると、空気処理装置１００内の調湿ロータアセンブリ２の従動部材と固定軸３１ａ、３２ａとが遊びを持って係合しているため、従動部材に固定された調湿ロータ２２が固定軸３１ａ、３２ａに引っかかって回転できなくなることを防止できる。さらには、加熱アセンブリＨＴが調湿ロータアセンブリ２の調湿ロータ２２の一部のエリア（放湿エリア２２ｂ）を加熱し続けることを防ぎ、火災発生のリスクを減らすことができる。よって、装置の安全性、信頼性、安定性を高めることができる。
【００４９】
図１及び図２に戻り、本実施形態の駆動アセンブリ１及び調湿ロータアセンブリ２等の構成について詳細に説明する。駆動アセンブリ１は、駆動ギヤ１１と、駆動支持枠１２と、モータＭとを含む（図３及び図４を参照）。駆動ギヤ１１は、例えば樹脂で円盤状に成型された小さなギヤである。駆動支持枠１２には、例えば内部空間があり、この内部空間は、モータ軸を有するモータＭを収容するために用いられる。駆動ギヤ１１はモータ軸に固定され、モータＭは、モータ軸を介して、直接駆動ギヤ１１を回転駆動する。当然ながら、本発明はこれに限定されず、本実施形態の変形例の１つとして、モータＭは、中間ギヤ群を介して駆動ギヤ１１を回転駆動してもよい。
【００５０】
調湿ロータアセンブリ２は、従動ギヤ２１に加え、調湿ロータ２２及びスリーブ２３をさらに有する。調湿ロータ２２と、従動部材である従動ギヤ２１とは同軸上に設けられ、調湿ロータ２２及び従動ギヤ２１の軸心には、軸孔２ｈが形成されている。スリーブ２３は、遊びを有するように軸孔２ｈに嵌合される。スリーブ２３を嵌められた軸孔２ｈと、支持体３に設けられた固定軸３１ａ、３２ａとを係合することにより、調湿ロータアセンブリ２は支持体３に軸支される。
【００５１】
従動ギヤ２１は、例えば樹脂で成型された円盤状の大きなギヤであり、従動ギヤ２１の直径は駆動ギヤ１１の直径よりもはるかに大きい。このようにすることで、市販の一般的な回転速度のモータを採用したとしても、駆動ギヤ１１と従動ギヤ２１とのギヤ比が大きいため、従動ギヤ２１と同軸上に設けられた調湿ロータ２２をゆっくりと回転させることができる。
【００５２】
調湿ロータ２２は、例えば、ゼオライトを材料として構成された円盤状の構造体であり、この調湿ロータ２２は、例えば、加熱時に水分を放出し、冷却時に水分を吸収することによって、空気中の湿度を調節することができる。
【００５３】
ここで特筆するが、図２では、従動ギヤ２１が調湿ロータ２２に直接嵌められている場合を示しているが、本発明はこれに限定されない。本実施形態の変形例の１つとして、従動ギヤ２１と調湿ロータ２２との間に所定の間隔を空けて、連結部材（例えば、従動ギヤ２１と調湿ロータ２２とを接続するリニアシャフト）を介することで調湿ロータ２２と従動ギヤ２１とが同期しながら回転するようにしてもよい。
【００５４】
本実施形態では、調湿ロータアセンブリ２は、略中空筒状の２つのスリーブ２３を有し、これら２つのスリーブ２３はそれぞれ、図２の上下方向から軸孔２ｈに挿入される。また、スリーブ２３の、軸孔２ｈに挿入された部分の外径は、軸孔２ｈの孔径よりも小さいため、スリーブ２３と軸孔２ｈとが嵌合している状態において、スリーブ２３は、従動ギヤ２１及び調湿ロータ２２に対してわずかに揺動する。すなわち、スリーブ２３は、従動ギヤ２１及び調湿ロータ２２と遊びを持って嵌合している。これにより、調湿ロータ２２が熱膨張・熱収縮した時に、調湿ロータ２２とスリーブ２３との係合がきつくなりすぎて、調湿ロータ２２が回転できなくなることを防止でき、空気処理装置１００の故障率の更なる低減に寄与する。
【００５５】
図１及び図２に示すように、支持体３は、例えばネジ部材により互いに固定された上カバー３１及び下カバー３２を含む。スリーブ２３を嵌められた軸孔２ｈが係合する固定軸３１ａ、３２ａのうち、上固定軸３１ａは上カバー３１に設けられ、下固定軸３２ａは下カバー３２に設けられる。実際に取り付ける際は、上固定軸３１ａ及び下固定軸３２ａを、その間に基本的に隙間がないように（ここでの「基本的に隙間がない」とは、部品の製造公差及びプラスチック製品の熱膨張・熱収縮によって生じる隙間を含まない）スリーブ２３に挿入し、ネジ又はバックルによって固定した後、上固定軸３１ａ及び下固定軸３２ａをファンカバー３３（又は空気処理装置１００の他の部材）に固定する。上固定軸３１ａ及び下固定軸３２ａが調湿ロータアセンブリ２を軸支することにより、上カバー３１及び下カバー３２は、従動ギヤ２１及び調湿ロータ２２を回転自在に支持する。
【００５６】
支持体３は、上カバー３１及び下カバー３２に加え、ファンカバー３３をさらに含み、駆動アセンブリ１は、ファンカバー３３に取り付けられる。具体的には、図２に示すように、ファンカバー３３は略中空環状を呈し、ファンアセンブリ４は、ファンカバー３３の直下に取り付けられている。ファンアセンブリ４により外部から吸い込まれた空気は下方に向かい、駆動アセンブリ１及び調湿ロータアセンブリ２を通った後、ファンカバー３３の中空部材を通過する。下カバー３２は、平面視において扇形を呈し、例えばネジ部材によって、ファンカバー３３上方の周部分に取り付けられている。駆動アセンブリ１は、下カバー３２の固定位置と径方向に対向する位置に取り付けられている。つまり、駆動アセンブリ１及び調湿ロータアセンブリ２はそれぞれ、その一部がファンカバー３３の中空部分にまで露出するような形で、ファンカバー３３に取り付けられている。従って、駆動アセンブリ１をファンカバー３３に取り付けることで、駆動アセンブリ１用の放熱部材及び支持部材を余分に設ける必要がなくなり、もとよりあったファンアセンブリ４をそのまま利用して駆動アセンブリ１に対し放熱を行うことができ、空気処理装置１００の部品数の削減に寄与する。その結果、装置の小型化が実現されるとともに製造コストを下げることができる。本実施形態では、支持体は、それぞれ別体である上カバー３１、下カバー３２、及びファンカバー３３をネジ部材等によって組み立てて構成される。このように、別体を組み立てる場合、複雑な金型の製造にかかるコストの削減に寄与する。しかし、本発明はこれに限定されず、支持体は、例えば、上カバー３１、下カバー３２、及びファンカバー３３により一体成型されていてもよい。一体成型された場合は、空気処理装置１００の部品数の削減に寄与する。
【００５７】
以下、主に図２及び図３を参照しながら、本実施形態の第１位置制限部３Ｓ及び第２位置制限部１Ｓの具体的な構成について説明する。
【００５８】
本実施形態では、支持体３に第１位置制限部３Ｓが設けられており、駆動アセンブリ１に第２位置制限部１Ｓが設けられている。第１位置制限部３Ｓと第２位置制限部１Ｓとは、弾性部材Ｅによって弾性的に係合される。このことから、２つの位置制限部３Ｓ、１Ｓと弾性部材Ｅとを弾性的に係合することにより、簡単な部材で駆動ギヤ１１と従動ギヤ２１との係合がきつくなりすぎたり又は緩くなりすぎたりすることを防止できる。
【００５９】
具体的には、図２に示すように、本実施形態では、第１位置制限部３Ｓは柱状部であり、第２位置制限部１Ｓは中空挟持部である。中空挟持部は、弾性部材Ｅを挟みながら柱状部に外嵌めされる。このことから、柱状部と中空挟持部との間に弾性部材Ｅを挟むという簡単な構成により、駆動ギヤ１１と従動ギヤ２１との良好な噛み合いを実現することができる。
【００６０】
より具体的には、本実施形態では、支持体３の環状のファンカバー３３の周部分に第１位置制限部３Ｓとしての３つの柱状部が設けられており、この３つの柱状部には、ネジが螺合するように、ネジ穴が設けられている。駆動アセンブリ１の駆動支持枠１２の、柱状部に対応する位置には、第２位置制限部１Ｓとしての３つの中空挟持部が設けられており、この３つの中空挟持部の中空部分は、例えば平面視において欠けた部分を有する略円形（すなわち優弧）を呈す。
【００６１】
また、好ましくは、弾性部材Ｅの変形可能量の最大値は、従動部材（すなわち従動ギヤ２１）と固定軸３１ａ、３２ａとの間の遊びの値よりも大きい。具体的には、例えば本実施形態において、弾性部材Ｅとしてのゴムリングが柱状部に外嵌めされている場合（すなわち取り付けた後において）、弾性部材Ｅとしてのゴムリングがさらに伸張又は収縮可能な余地量は、従動ギヤ２１がその回転軸Ｌ２と交差する方向に沿って移動可能な最大距離よりも大きい。
【００６２】
より好ましくは、柱状部の外径Ｄ１は、中空挟持部の内径Ｄ２よりも小さく、且つ４ｍｍ≦Ｄ２−Ｄ１≦１２ｍｍの関係を満たす。このことから、柱状部と中空挟持部との寸法関係を上述のように設定することにより、駆動ギヤ１１と従動ギヤ２１とを適切な具合で噛み合わせることができる。また、本実施形態では、弾性部材Ｅはゴムリングである。このことから、ゴムリングのような簡単な弾性の材料によって、第１位置制限部３Ｓと第２位置制限部１Ｓとの間の弾性的な係合を実現することができる。
【００６３】
図２及び図３を引き続き参照しながら、駆動アセンブリ１を取り付けるステップを説明する。駆動アセンブリ１を取り付ける時は、まず、弾性部材Ｅとしてのゴムリングを第１位置制限部３Ｓとしての３つの柱状部に外嵌めし、次に第２位置制限部１Ｓとしての３つの中空挟持部をゴムリングに外嵌めしてゴムリングを挟持し、最後に、座金が外嵌めされた３本のネジをそれぞれ３つの柱状部のネジ穴にねじ込む。このようにして駆動アセンブリ１の取り付けが完了する。
【００６４】
上述のように、駆動アセンブリ１を弾性的に及び／又は遊びを持たせて支持体３のファンカバー３３に取り付けることにより、駆動アセンブリ１の駆動ギヤ１１と、同様にファンカバー３３に取り付けられた調湿ロータアセンブリ２の従動ギヤ２１とが噛み合っている時に、駆動ギヤ１１は、その回転軸Ｌ１と交差する方向（具体的には、回転軸Ｌ１と略垂直な方向、より具体的には、駆動ギヤ１１の軸心と従動ギヤ２１の軸心とを結ぶ方向）に沿って往復移動することができる。その結果、駆動ギヤ１１と従動ギヤ２１との噛み合いが、ギヤ自身の製造公差又は熱膨張・熱収縮によってきつくなりすぎたり又は緩くなりすぎたりすることを防止できる。
【００６５】
以上、第１位置制限部３Ｓが柱状部であり、第２位置制限部１Ｓが中空挟持部である第１実施形態について説明したが、本発明はこれに限定されない。第１実施形態の変形例の１つとして、例えば、第１位置制限部３Ｓを中空挟持部とし、第２位置制限部１Ｓを柱状部としてもよい。また、柱状部及び中空挟持部の数は３つに限定されず、２つ又は４つ以上であってもよい。また、中空挟持部の具体的な形状は、上述の、平面視において欠けた部分のある略円形状に限定されず、例えば、欠けた部分がない完全な中空柱状であってもよい。また、弾性部材Ｅは、ゴムリングに限定されず、例えば環状のエアバッグ又はスポンジ等の弾性を有する部材であってもよい。
【００６６】
＜第２実施形態＞
以下、図４〜図５Ｂを主に参照して、本発明の第２実施形態に係る空気処理装置の具体的な構成について説明する。また、本実施形態において、第１実施形態と同一の構造体には同一の符号を付し、説明を省略する。
【００６７】
図４、図５Ａ及び図５Ｂに示すように、第２実施形態が第１実施形態と異なるのは、主に第１位置制限部３Ｓ’、第２位置制限部１Ｓ’及び弾性部材Ｅ’等の点である。
【００６８】
図５Ａ及び図５Ｂに示すように、本実施形態では、第１位置制限部３Ｓ’に第１突起３Ｓ’１が設けられており、第２位置制限部１Ｓ’に第２突起１Ｓ’１が設けられている。第１突起３Ｓ’１と第２突起１Ｓ’１は、弾性部材Ｅ’が外嵌めされるように、相対している。また、第１位置制限部３Ｓ’には位置制限突起３Ｓ’２がさらに設けられており、第２位置制限部１Ｓ’には位置制限溝１Ｓ’２がさらに設けられている。この位置制限溝１Ｓ’２は、第１突起３Ｓ’１と第２突起１Ｓ’１との相対方向Ｆに平行な方向に形成されており、位置制限突起３Ｓ’２は、位置制限溝１Ｓ’２に嵌め入れられる。
【００６９】
具体的には、図５Ａに示すように、第１位置制限部３Ｓ’は、第１突起３Ｓ’１と、位置制限突起３Ｓ’２と、第１位置制限部本体３Ｓ’３とを含む。第１位置制限部本体３Ｓ’３は全体として、平面視において（図５Ａの上方から見て）略Ｌ字形を呈し、支持体３のファンカバー３３に設けられる。第１突起３Ｓ’１は、平面視において第１位置制限部本体３Ｓ’３のＬ字形の短辺側に設けられる。位置制限突起３Ｓ’２は、相対方向Ｆに平行な方向に延びて、平面視において第１位置制限部本体３Ｓ’３のＬ字形の長辺側に設けられる。
【００７０】
図５Ｂに示すように、第２位置制限部１Ｓ’は、第２突起１Ｓ’１と、位置制限溝１Ｓ’２と、第２位置制限部本体１Ｓ’３とを含む。第２位置制限部本体１Ｓ’３は全体として、平面視において（図５Ｂの上方から見て）略Ｌ字形を呈し、駆動アセンブリ１の駆動支持枠１２に設けられる。位置制限溝１Ｓ’２は、相対方向Ｆに平行な方向に延びて、平面視において第２位置制限部本体１Ｓ’３のＬ字形の長辺側に設けられる。第２突起１Ｓ’１は、第２位置制限部本体１Ｓ’３の、平面視においてＬ字形の短辺がある側に設けられる。
【００７１】
ここで特筆するが、本実施形態では、弾性部材Ｅ’はバネである（当然、弾性部材Ｅ’はゴムであってもよいが、以下では、主に、弾性部材Ｅ’がバネである場合について説明する）。これにより、簡単な弾性の材料によって、第１位置制限部３Ｓ’と第２位置制限部１Ｓ’との間の弾性的な係合を実現することができる。
【００７２】
以下、図４を参照しながら、駆動アセンブリ１を取り付けるステップについて説明する。まず、ネジを用いて、駆動アセンブリ１の駆動支持枠１２を、支持体３のファンカバー３３に遊びを持たせて取り付け、駆動アセンブリ１全体が、回転軸Ｌ１と交差する（垂直な）方向（例えば、相対方向Ｆ）に沿ってわずかに移動できるようにする。これと同時に、第１突起３Ｓ’１と第２突起１Ｓ’１とを相対方向Ｆに沿って正確に相対させ、位置制限突起３Ｓ’２を位置制限溝１Ｓ’２に嵌め入れる。次に、弾性部材Ｅ’としてのバネの両端を、それぞれ第１突起３Ｓ’１及び第２突起１Ｓ’１に外嵌めする。このようにして、駆動アセンブリ１の取り付けが完了する。
【００７３】
本実施形態の空気処理装置１００によると、相対する２つの突起、つまり第１突起３Ｓ’１及び第２突起１Ｓ’１を設けることにより、バネを確実に外嵌めすることができ、バネの位置を制限しやすくなる。その結果、バネと２つの突起３Ｓ’１、１Ｓ’１とが共同して、確実に駆動部材の移動を弾性により制限する働きをする。また、互いに嵌まり合う位置制限突起３Ｓ’２及び位置制限溝１Ｓ’２を、相対方向Ｆに平行な方向に沿って設けることにより、２つの位置制限部３Ｓ’、１Ｓ’を確実に相対方向Ｆに平行な方向に沿って往復移動させることができ、駆動アセンブリ１が左右に揺れてバネがねじ曲がることを防止できる。その結果、駆動ギヤ１１と従動ギヤ２１の噛み合いがきつくなりすぎたり又は緩くなりすぎたりすることを確実に防止できる。
【００７４】
また、駆動アセンブリ１を取り付けた後、駆動ギヤ１１と従動ギヤ２１とが係合して（噛み合って）回転している状態において、弾性部材Ｅ’（すなわち、バネ）は収縮又は伸長可能である。つまり、駆動ギヤ１１と従動ギヤ２１とが噛み合って回転している時に、バネは始終、第１位置制限部３Ｓ’及び第２位置制限部１Ｓ’に対して弾性力を付勢している状態にある。これにより、バネの自然長状態と収縮／伸長状態とが切り替わる場合に比べ、バネが第１突起３Ｓ’１と第２突起１Ｓ’１との間から脱落することを防止できる。その結果、駆動ギヤ１１と従動ギヤ２１との噛み合いがきつくなりすぎたり又は緩くなりすぎたりすることをさらに確実に防止できる。
【００７５】
また、本実施形態の変形例の一つとして、駆動アセンブリ１を調湿ロータアセンブリ２に対して斜めに設けてもよい（例えば、駆動アセンブリ１の重心が調湿ロータアセンブリ２に偏るように傾斜させて設けてもよい）。同時に、第１突起３Ｓ’１及び第２突起１Ｓ’１には、バネを固定するための係合構造（例えば、相対方向Ｆに対して垂直に突出する凸部または薄いリブ）が設けられていてもよい。この場合、従動部材が駆動部材から離れる方向に移動する時に、駆動アセンブリ１は、自重により弾性部材を伸長させることができ、これにより、駆動部材を従動部材に噛み合わせることができる。その結果、駆動部材と従動部材との係合がきつくなりすぎたり又は緩くなりすぎたりすることをさらに確実に防止できる。
【００７６】
また、本実施形態では、弾性部材Ｅ’（すなわち、バネ）の圧縮状態における最小長さは、第１突起３Ｓ’１の長さと第２突起１Ｓ’１の長さの和以上である（なお、突起３Ｓ’１、１Ｓ’１の長さは、相対方向Ｆに沿って突出している部分の長さである）。このことから、バネの圧縮状態における最小長さが、２つの突起３Ｓ’１、１Ｓ’１の長さの和未満である場合と比べ、弾性部材が極限まで圧縮された時に第１突起３Ｓ’１と第２突起１Ｓ’１とが当接することを防止できる。これにより、当接による衝突に起因する損傷や騒音を防止することができ、駆動ギヤ１１と従動ギヤ２１との噛み合いがきつくなることをさらに確実に防止できる。
【００７７】
ここで特筆するが、弾性部材Ｅ’の変形可能量の最大値は、従動部材（すなわち、従動ギヤ２１）と固定軸３１ａ、３２ａとの間の遊びの値よりも大きい。具体的には、例えば本実施形態では、弾性部材Ｅ’が第１突起３Ｓ’１及び第２突起１Ｓ’１に外嵌めされている場合（すなわち、取り付けられた後）、弾性部材Ｅ’としてのバネがさらに伸長又は収縮可能な余地量は、従動ギヤ２１が回転軸Ｌ２と交差する方向に沿って移動可能な最大距離よりも大きい。
【００７８】
これにより、従動ギヤ２１の遊びにおける運動を、確実に弾性部材Ｅ’の弾性の範囲内でカバーすることができるので、駆動ギヤ１１と従動ギヤ２１との噛み合いがきつくなりすぎることをさらに確実に防止できる。
【００７９】
以上、第１位置制限部３Ｓ’に位置制限突起３Ｓ’２を設け、第２位置制限部１Ｓ’に位置制限溝１Ｓ’２を設けた第２実施形態について説明したが、本発明はこれに限定されない。第２実施形態の変形例の１つとして、例えば、第１位置制限部３Ｓ’に位置制限溝を設け、第２位置制限部１Ｓ’に位置制限突起を設けてもよい。
【００８０】
本発明は、その範囲内において、各実施形態を自由に組み合わせたり、適宜変更、省略したりすることができる。
【００８１】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００８２】
１              駆動アセンブリ
１１            駆動ギヤ
１２            駆動支持枠
１Ｓ、１Ｓ’    第２位置制限部
１Ｓ’１        第２突起
１Ｓ’２        位置制限溝
１Ｓ’３        第２位置制限部本体
２              調湿ロータアセンブリ
２１            従動ギヤ
２２            調湿ロータ
２２ａ          吸湿エリア
２２ｂ          放湿エリア
２３            スリーブ
２ｈ            軸孔
３              支持体
３１            上カバー
３１ａ          上固定軸
３２            下カバー
３２ａ          下固定軸
３３            ファンカバー
３Ｓ、３Ｓ’    第１位置制限部
３Ｓ’１        第１突起
３Ｓ’２        位置制限突起
３Ｓ’３        第１位置制限部本体
４              ファンアセンブリ
４ａ            ファンロータ
４１            吸気口
４２            第１送気口
４３            第２送気口
１００          空気処理装置
ＢＴ            本体部
ＢＴａ          吸込口
ＢＴ１          第１吹出口
ＢＴ２          第２吹出口
Ｄ１            柱状部の外径
Ｄ２            中空挟持部の内径
Ｅ、Ｅ’        弾性部材
Ｆ              相対方向
ＧＴ            蓋部
ＨＴ            加熱アセンブリ
Ｌ１            駆動輪（駆動部材）の回転軸
Ｌ２            従動輪（従動部材）の回転軸
Ｌ４            ファンロータの回転軸
Ｍ              モータ
【先行技術文献】
【特許文献】
【００８３】
【特許文献１】中国実用新案第２０２０９６８７１号
【図１】
2020085338.tif 000003
【図２】
2020085338.tif 000004
【図３】
2020085338.tif 000005
【図４】
2020085338.tif 000006
【図５Ａ】
2020085338.tif 000007
【図５Ｂ】
2020085338.tif 000008
【図６】
2020085338.tif 000009
【図７】
2020085338.tif 000010
【図８】
2020085338.tif 000011
【国際調査報告】
2020085338.tif 000012
2020085338.tif 000013
2020085338.tif 000014
2020085338.tif 000015